(57)【要約】【課題】  発電要素の膨張および収縮に応じて、蓄電素子に与えられる拘束力が変化してしまう。【解決手段】  蓄電素子１０は、発電要素１４と、発電要素を収容するケース１３とを有する。仕切り部材２０の突起部２２は、正極集電板１４１ａのうち正極活物質層１４１ｂが形成されていない領域と、負極集電板１４２ａのうち負極活物質層１４２ｂが形成されていない領域とに対して、ケース１３を介して拘束力を与える。正極活物質層１４１ｂおよび負極活物質層１４２ｂが対向する領域では、膨張および収縮が発生するが、この領域には、仕切り部材２０からの拘束力が与えられていない。このため、発電要素１４の膨張および収縮に伴う荷重変動が仕切り部材２０に作用することを抑制し、仕切り部材２０を介して蓄電素子１０に与えられる拘束力が変化することを抑制できる。【選択図】  図１
2015207537.tif 000002
【特許請求の範囲】
【請求項１】
所定方向に並べられた複数の蓄電素子と、
前記所定方向で隣り合う２つの前記蓄電素子の間に配置された仕切り部材と、
前記所定方向において前記複数の蓄電素子を挟む位置に配置され、前記複数の蓄電素子に対して前記所定方向の拘束力を与えるための一対のエンドプレートと、
前記所定方向に延び、前記一対のエンドプレートにそれぞれ連結される複数の連結部材と、を有し、
前記蓄電素子は、
正極集電板の一部の領域に正極活物質層が形成された正極板と、負極集電板の一部の領域に負極活物質層が形成された負極板とがセパレータを介して積層されることによって構成された発電要素と、
前記発電要素を収容し、前記所定方向と直交する平坦面を備えたケースと、を有し、
前記仕切り部材は、前記正極集電板のうち前記正極活物質層が形成されていない領域と、前記負極集電板のうち前記負極活物質層が形成されていない領域とに対して、前記平坦面を介して前記拘束力を与える突起部を有することを特徴とする蓄電装置。
【発明の詳細な説明】
【技術分野】
【０００１】
本発明は、複数の蓄電素子に拘束力を与える構造を備えた蓄電装置に関する。
【背景技術】
【０００２】
特許文献１に記載の組電池では、複数の二次電池を所定方向に並べ、隣り合う２つの二次電池の間にスペーサを配置している。また、所定方向における組電池の両端には、一対のエンドプレートが配置され、一対のエンドプレートには、所定方向に延びる拘束バンドが固定される。組電池を組み立てたときには、一対のエンドプレートの間隔が固定され、スペーサを介して所定の拘束力が二次電池に与えられる。
【０００３】
特許文献１では、二次電池の角型ケースにおける扁平面に含まれる発電領域の一部（中央部を含まない領域）にスペーサを接触させている。ここで、発電領域とは、角型ケースの扁平面のうち、角型ケースに収容された発電要素の発電エリアと所定方向で重なる領域である。発電エリアとは、正極板および負極板が互いに重なっているエリアである。
【先行技術文献】
【特許文献】
【０００４】
【特許文献１】特開２０１２−２３０８３７号公報
【発明の概要】
【発明が解決しようとする課題】
【０００５】
発電要素は、充放電に応じて膨張したり収縮したりする。また、発電要素の温度が変化することに応じて、発電要素が膨張したり収縮したりする。このような発電要素の膨張および収縮は、特許文献１に記載の発電エリアで発生する。特許文献１のように、角型ケースの発電領域にスペーサを接触させてしまうと、スペーサは、発電要素の膨張および収縮による作用を受けやすくなる。
【０００６】
エンドプレートおよび拘束バンドを用いて発生させた拘束力は、スペーサを介して二次電池に作用する。ここで、スペーサが発電要素の膨張および収縮による作用を受けてしまうと、スペーサを介して二次電池に与えられる拘束力が変化してしまう。これにより、所定（一定）の拘束力を二次電池に与え続けることができなくなってしまう。
【課題を解決するための手段】
【０００７】
本発明の蓄電装置は、所定方向に並べられた複数の蓄電素子と、所定方向で隣り合う２つの蓄電素子の間に配置された仕切り部材とを有する。また、蓄電装置は、一対のエンドプレートおよび複数の連結部材を有する。一対のエンドプレートは、所定方向において複数の蓄電素子を挟む位置に配置され、複数の蓄電素子に対して所定方向の拘束力を与えるために用いられる。複数の連結部材のそれぞれは、所定方向に延び、一対のエンドプレートに連結される。
【０００８】
蓄電素子は、発電要素と、発電要素を収容し、所定方向と直交する平坦面を備えたケースとを有する。発電要素は、正極集電板の一部の領域に正極活物質層が形成された正極板と、負極集電板の一部の領域に負極活物質層が形成された負極板とがセパレータを介して積層されることによって構成される。仕切り部材は突起部を有する。突起部は、正極集電板のうち正極活物質層が形成されていない領域と、負極集電板のうち負極活物質層が形成されていない領域とに対して、平坦面を介して拘束力を与える。
【０００９】
発電要素では、正極活物質層および負極活物質層がセパレータを挟んで対向する領域（対向領域という）が膨張したり収縮したりする。この対向領域には、仕切り部材からの拘束力が与えられていないため、対向領域の膨張および収縮が仕切り部材に作用することを抑制できる。これに伴い、仕切り部材から蓄電素子に与えられる拘束力が、対向領域の膨張および収縮によって変化することを抑制できる。すなわち、仕切り部材から蓄電素子に与えられる拘束力を一定に維持することができる。
【００１０】
また、正極集電板および負極集電板に拘束力を与えることにより、正極集電板および負極集電板に張力を発生させることができる。この張力を用いることにより、対向領域に荷重を与えることができる。対向領域に与えられる荷重が低下してしまうと、蓄電素子（発電要素）の劣化（満充電容量の低下）が進行しやすくなってしまうが、上述したように対向領域に荷重を与えることにより、蓄電素子の劣化を抑制できる。
【図面の簡単な説明】
【００１１】
【図１】電池スタックの外観図である。
【図２】単電池の内部構造を示す図である。
【図３】発電要素の展開図である。
【図４】発電要素の外観図である。
【図５】仕切り部材の正面図である。
【図６】単電池および仕切り部材の断面図である。
【図７】単電池の容量維持率の変化を示す図である。
【図８】仕切り部材の断面図である。
【図９】仕切り部材の断面図である。
【図１０】仕切り部材の断面図である。
【図１１】温度調節用の空気を単電池に供給する経路を説明する図である。
【図１２】温度調節用の空気を単電池に供給する経路を説明する図である。
【発明を実施するための形態】
【００１２】
以下、本発明の実施例について説明する。
【実施例１】
【００１３】
本実施例の電池スタック（本発明の蓄電装置に相当する）の構造について、図１を用いて説明する。図１において、Ｘ軸、Ｙ軸およびＺ軸は、互いに直交する軸である。本実施例では、鉛直方向に相当する軸をＺ軸としている。Ｘ軸、Ｙ軸およびＺ軸の関係は、他の図面においても同様である。
【００１４】
電池スタック１は複数の単電池（本発明の蓄電素子に相当する）１０を有しており、複数の単電池１０はＸ方向（本発明の所定方向に相当する）に並べられている。単電池１０の上面には、正極端子１１および負極端子１２が設けられている。複数の単電池１０は、正極端子１１および負極端子１２を介して直列に接続されている。単電池１０としては、ニッケル水素電池やリチウムイオン電池といった二次電池を用いることができる。
【００１５】
Ｘ方向で隣り合う２つの単電池１０の間には、仕切り部材２０が配置されている。仕切り部材２０は、樹脂などの絶縁材料によって形成することができる。後述するように、仕切り部材２０の一部が単電池１０に接触している。単電池１０および仕切り部材２０が接触していない領域では、単電池１０および仕切り部材２０の間にスペースが形成されている。
【００１６】
Ｘ方向における電池スタック１の両端には、一対のエンドプレート３１が配置されている。すなわち、一対のエンドプレート３１は、Ｘ方向において、電池スタック１を構成するすべての単電池１０を挟んでいる。一対のエンドプレート３１は、複数の単電池１０に拘束力を与えるために用いられる。一対のエンドプレート３１を互いに近づく方向（Ｘ方向）に変位させることにより、一対のエンドプレート３１によって挟まれた複数の単電池１０に拘束力を与えることができる。この拘束力とは、Ｘ方向において各単電池１０を挟む力である。
【００１７】
一対のエンドプレート３１には、Ｘ方向に延びる連結部材３２の両端がそれぞれ連結されている。エンドプレート３１および連結部材３２は、ボルトやリベットなどの締結部材を用いて連結したり、溶接処理などによって連結したりすることができる。図１に示すように、電池スタック１の上面および下面のそれぞれには、２つの連結部材３２が配置されている。電池スタック１の上面に配置された２つの連結部材３２は、正極端子１１および負極端子１２と干渉しない位置に配置されている。
【００１８】
一対のエンドプレート３１に連結部材３２を連結することにより、一対のエンドプレート３１を互いに近づく方向（Ｘ方向）に変位させることができる。これにより、上述したように、複数の単電池１０に拘束力を与えることができる。複数の単電池１０に拘束力を与えることができればよいため、この点を考慮して、連結部材３２を配置する位置や、連結部材３２の数を適宜設定することができる。
【００１９】
次に、単電池１０の構造について、図２を用いて説明する。
【００２０】
単電池１０は、電池ケース（本発明のケースに相当する）１３と、電池ケース１３に収容された発電要素１４とを有する。電池ケース１３は、直方体に沿った形状に形成されており、ケース本体１３ａおよび蓋１３ｂを有する。ケース本体１３ａは、発電要素１４をケース本体１３ａに組み込むための開口部を有しており、この開口部は、蓋１３ｂによって塞がれている。
【００２１】
蓋１３ｂをケース本体１３ａに固定することにより、電池ケース１３の内部は密閉状態となる。蓋１３ｂは、電池ケース１３（単電池１０）の上面を構成する。正極端子１１および負極端子１２は、蓋１３ｂに固定され、蓋１３ｂを貫通している。
【００２２】
発電要素１４は、充放電を行う要素である。発電要素１４には、正極タブ１５ａおよび負極タブ１５ｂが接続されている。正極タブ１５ａは正極端子１１にも接続され、負極タブ１５ｂは負極端子１２にも接続されている。これにより、正極端子１１および負極端子１２を負荷に接続することにより、発電要素１４を充放電することができる。ここで、発電要素１４は、正極タブ１５ａ、負極タブ１５ｂ、正極端子１１および負極端子１２を介して、蓋１３ｂに固定される。したがって、発電要素１４は、電池ケース１３の内部において位置決めされる。
【００２３】
次に、発電要素１４の構造について、図３および図４を用いて説明する。図３は、発電要素１４の一部を展開した図であり、図４は発電要素１４の外観図である。
【００２４】
発電要素１４は、正極板１４１と、負極板１４２と、セパレータ１４３とを有する。正極板１４１は、正極集電板１４１ａと、正極集電板１４１ａの表面（両面）に形成された正極活物質層１４１ｂとを有する。正極活物質層１４１ｂは、正極活物質、導電剤、バインダーなどを含んでいる。正極活物質層１４１ｂは、正極集電板１４１ａの一部の領域に形成されており、正極集電板１４１ａの他の領域は露出している。この露出領域は、Ｙ方向における正極集電板１４１ａの一端に位置している。
【００２５】
負極板１４２は、負極集電板１４２ａと、負極集電板１４２ａの表面（両面）に形成された負極活物質層１４２ｂとを有する。負極活物質層１４２ｂは、負極活物質、導電剤、バインダーなどを含んでいる。負極活物質層１４２ｂは、負極集電板１４２ａの一部の領域に形成されており、負極集電板１４２ａの他の領域は露出している。この露出領域は、Ｙ方向における負極集電板１４２ａの他端に位置している。正極活物質層１４１ｂ、負極活物質層１４２ｂおよびセパレータ１４３には、電解液がしみこんでいる。
【００２６】
図３に示す順番で、正極板１４１、負極板１４２およびセパレータ１４３を積層し、この積層体に張力を与えた状態で、積層体を図４の矢印Ｒで示す方向に巻くことにより、発電要素１４が構成される。図４に示すように、発電要素１４は、３つの領域Ａ１，Ａ２，Ａ３を有する。
【００２７】
領域Ａ１は、正極活物質層１４１ｂおよび負極活物質層１４２ｂがセパレータ１４３を介して対向する領域であり、発電要素１４の充放電に応じた化学反応が行われる領域である。領域Ａ１では、発電要素１４の充放電に応じて、正極活物質層１４１ｂおよび負極活物質層１４２ｂの間で反応関与物質が移動する。これに伴い、領域Ａ１が膨張したり収縮したりする。反応関与物質とは、発電要素１４の充放電に関与する物質である。例えば、単電池１０としてリチウムイオン二次電池を用いたとき、反応関与物質はリチウムイオンとなる。一方、発電要素１４の温度が変化することによっても、領域Ａ１が膨張したり収縮したりする。
【００２８】
領域Ａ２は、Ｙ方向における発電要素１４の一端に位置しており、領域Ａ２では、正極集電板１４１ａだけが巻かれている。領域Ａ２の正極集電板１４１ａには、図２を用いて説明したように、正極タブ１５ａが接続される。また、領域Ａ２では、互いに重ねられた正極集電板１４１ａが溶接処理によって固定されている。
【００２９】
領域Ａ３は、Ｙ方向における発電要素１４の他端に位置しており、領域Ａ３では、負極集電板１４２ａだけが巻かれている。領域Ａ３の負極集電板１４２ａには、図２を用いて説明したように、負極タブ１５ｂが接続される。また、領域Ａ３では、互いに重ねられた負極集電板１４２ａが溶接処理によって固定されている。
【００３０】
なお、発電要素１４の構造によっては、正極活物質層１４１ｂが、負極活物質層１４２ｂと対向する領域（対向領域という）と、負極活物質層１４２ｂと対向しない領域（非対向領域という）とを有することがある。又は、負極活物質層１４２ｂが、正極活物質層１４１ｂと対向する領域（対向領域という）と、正極活物質層１４１ｂと対向しない領域（非対向領域という）とを有することがある。この場合において、領域Ａ２，Ａ３には、上述した非対向領域が含まれる。また、上述した対向領域が領域Ａ１となる。
【００３１】
次に、仕切り部材２０の構造について図５を用いて説明する。図５は、Ｘ方向から仕切り部材２０を見たときの正面図である。
【００３２】
仕切り部材２０は、本体部２１および突起部２２を有する。本体部２１は、Ｙ−Ｚ平面内に配置されており、Ｘ方向において、電池ケース１３（ケース本体１３ａ）と対向している。突起部２２は、本体部２１からＸ方向に突出している。そして、突起部２２の先端は、電池ケース１３（ケース本体１３ａ）に接触する。
【００３３】
突起部２２は、Ｙ−Ｚ平面内において、Ｚ方向に延びる２つの領域Ｐ１１，Ｐ１２と、Ｙ方向に延びる２つの領域Ｐ１３，Ｐ１４を有する。ここで、Ｚ方向における領域Ｐ１１の両端は、２つの領域Ｐ１３，Ｐ１４と繋がっており、Ｚ方向における領域Ｐ１２の両端は、２つの領域Ｐ１３，Ｐ１４と繋がっている。領域Ｐ１１〜Ｐ１４において、突起部２２の高さ（Ｘ方向の長さ）は等しくなっている。
【００３４】
図６は、２つの仕切り部材２０および単電池１０をＸ−Ｙ平面で切断したときの断面図である。図６に示すように、各仕切り部材２０において、Ｘ方向における本体部２１の両端面には、突起部２２が設けられている。
【００３５】
なお、突起部２２は、Ｘ方向における本体部２１の両端面のうち、少なくとも一方に設けることができる。ここで、突起部２２が設けられていない本体部２１の端面は、平坦な面で構成することができる。そして、この平坦な面を電池ケース１３に接触させることができる。
【００３６】
突起部２２は、電池ケース１３（ケース本体１３ａ）の側面１３Ａを介して、発電要素１４の各領域Ａ２，Ａ３とＸ方向で対向している。具体的には、突起部２２の領域Ｐ１１が、側面１３Ａを介して発電要素１４の領域Ａ２とＸ方向で対向している。また、突起部２２の領域Ｐ１２が、側面１３Ａを介して発電要素１４の領域Ａ３と対向している。
【００３７】
ここで、側面１３Ａは、電池ケース１３（ケース本体１３ａ）の一部であり、Ｙ−Ｚ平面に沿った平坦面を構成している。電池ケース１３は、一対の側面１３Ａを有しており、Ｘ方向における発電要素１４の両端側に、一対の側面１３Ａが位置している。
【００３８】
領域Ｐ１１は、Ｘ方向において、領域Ａ１と対向せず、領域Ａ２の少なくとも一部と対向していればよい。この条件を満たす限り、Ｙ方向における領域Ｐ１１の長さは適宜設定することができる。また、領域Ｐ１２は、Ｘ方向において、領域Ａ１と対向せず、領域Ａ３の少なくとも一部と対向していればよい。この条件を満たす限り、Ｙ方向における領域Ｐ１２の長さは適宜設定することができる。
【００３９】
なお、突起部２２の各領域Ｐ１３，Ｐ１４は、Ｘ方向において領域Ａ１と対向しない位置に設けられている。本実施例では、突起部２２が領域Ｐ１３，Ｐ１４を有しているが、領域Ｐ１３，Ｐ１４を省略することもできる。すなわち、図５に示す領域Ｐ１１，Ｐ１２が設けられた位置において、２つの突起部２２を設けることができる。ただし、本実施例のように、領域Ｐ１１〜Ｐ１４で構成された突起部２２を用いることにより、突起部２２と接触する単電池１０をＹ−Ｚ平面内に位置させやすくなる。これにより、Ｘ方向の拘束力を、仕切り部材２０を介して単電池１０に与えやすくなる。
【００４０】
上述したように、領域Ａ１は膨張したり収縮したりするが、側面１３Ａのうち、領域Ａ１とＸ方向で対向する領域には、仕切り部材２０が接触していない。このため、領域Ａ１の膨張および収縮が仕切り部材２０に作用することを抑制できる。これに伴い、Ｘ方向の拘束力を、仕切り部材２０を介して単電池１０に与えても、単電池１０に与えられる拘束力が領域Ａ１の膨張および収縮によって変化することを抑制できる。ここで、仕切り部材２０の本体部２１と電池ケース１３の側面１３Ａとの間に形成されたスペースにおいて、領域Ａ１の膨張および収縮を許容することができる。
【００４１】
なお、Ｘ方向における本体部２１の一端面だけに突起部２２を設けたときには、突起部２２が設けられていない本体部２１の他端面（平坦な面）が側面１３Ａに接触することになる。このとき、領域Ａ１の膨張および収縮が本体部２２の他端面に作用してしまうが、突起部２２が接触している側において、領域Ａ１の膨張および収縮を許容することができる。これにより、単電池１０に与えられる拘束力が、領域Ａ１の膨張および収縮によって変化することを抑制できる。
【００４２】
一方、エンドプレート３１および連結部材３２を用いて発生した拘束力は、仕切り部材２０を介して単電池１０（電池ケース１３）に与えられる。このため、電池ケース１３の内部でガスが発生し、電池ケース１３の内部における圧力が上昇しても、仕切り部材２０から電池ケース１３に与えられる拘束力を用いることにより、圧力の上昇に伴う電池ケース１３の膨張を抑制できる。これにより、仕切り部材２０から電池ケース１３に拘束力を与え続けることができる。
【００４３】
また、エンドプレート３１および連結部材３２を用いてＸ方向の拘束力を発生させると、突起部２２の領域Ｐ１１は、電池ケース１３の側面１３Ａを介して発電要素１４の領域Ａ２を押しつける。ここで、２つの突起部２２（領域Ｐ１１）の間に領域Ａ２が位置しているため、Ｘ方向において領域Ａ２を挟む荷重が発生する。
【００４４】
また、エンドプレート３１および連結部材３２を用いてＸ方向の拘束力を発生させると、突起部２２の領域Ｐ１２は、電池ケース１３の側面１３Ａを介して発電要素１４の領域Ａ３を押しつける。ここで、２つの突起部２２（領域Ｐ１２）の間に領域Ａ３が位置しているため、Ｘ方向において領域Ａ３を挟む荷重が発生する。
【００４５】
このように各領域Ａ２，Ａ３を挟む荷重を発生させることにより、領域Ａ２に配置された正極集電板１４１ａには、図６の矢印Ｄ１で示す方向に作用する張力を発生させることができる。また、領域Ａ３に配置された負極集電板１４２ａには、図６の矢印Ｄ２で示す方向に作用する張力を発生させることができる。
【００４６】
正極集電板１４１ａおよび負極集電板１４２ａに矢印Ｄ１，Ｄ２で示す張力を発生させることにより、領域Ａ１に対してＸ方向の荷重を与えることができる。すなわち、正極集電板１４１ａおよび負極集電板１４２ａを矢印Ｄ１，Ｄ２の方向に引っ張ることにより、領域Ａ１に対してＸ方向の荷重を与えることができる。この荷重は、Ｘ方向において領域Ａ１を挟む荷重となる。このような荷重を領域Ａ１に与えることにより、発電要素１４の満充電容量の低下（すなわち、単電池１０の劣化）を抑制することができた。
【００４７】
図７には、所定の電流パターンで単電池１０の充放電を繰り返したときにおいて、単電池１０（発電要素１４）の容量維持率の変化を示す。図７において、縦軸は容量維持率であり、横軸はサイクル数である。
【００４８】
容量維持率とは、充放電を行った後の単電池１０の満充電容量を、初期状態にある単電池１０の満充電容量で除算した値である。初期状態とは、単電池１０が劣化していない状態であり、例えば、単電池１０を製造した直後の状態である。単電池１０の満充電容量が初期状態の満充電容量から低下していなければ、容量維持率は「１」となる。サイクル数とは、所定の電流パターンでの充放電を１サイクルとしたときにおいて、このサイクルの数である。
【００４９】
図７において、実線は本実施例における容量維持率の変化を示し、一点鎖線は比較例における容量維持率の変化を示す。比較例では、Ｘ方向において発電要素１４を挟む荷重を発電要素１４に与えていない。図７から分かるように、本実施例では、比較例に比べて容量維持率の低下を抑制することができる。特に、サイクル数が増えるほど、容量維持率の低下を抑制しやすくなる。
【００５０】
Ｘ−Ｙ平面における突起部２２の形状は、図６に示す形状に限るものではない。例えば、Ｘ−Ｙ平面における突起部２２の形状としては、図８〜図１０に示す形状を用いることもできる。図８〜図１０は、図６に対応する図である。
【００５１】
図８に示す仕切り部材２０では、突起部２２が傾斜面２２ａを有している。傾斜面２２ａは、突起部２２の各領域Ｐ１１，Ｐ１２に形成されている。ここで、図６に示す突起部２２を用いたときには、Ｘ方向における発電要素１４の長さ（厚さ）が大きくなるほど、発電要素１４の内側に位置する正極集電板１４１ａおよび負極集電板１４２ａに対して荷重を与えにくくなる。
【００５２】
図６から分かるように、領域Ａ２では、Ｘ方向における発電要素１４の長さ（厚さ）が連続的に変化している。また。領域Ａ３でも、Ｘ方向における発電要素１４の長さ（厚さ）が連続的に変化している。突起部２２に傾斜面２２ａを設ければ、突起部２２の外形（傾斜面２２ａ）を、各領域Ａ２，Ａ３における発電要素１４の外形に沿わせることができる。これにより、領域Ａ２内に位置する正極集電板１４１ａの全体に荷重を加えやすくしたり、領域Ａ３内に位置する負極集電板１４２ａの全体に荷重を加えやすくしたりできる。
【００５３】
図９に示す仕切り部材２０では、突起部２２が２つの傾斜面２２ａ，２２ｂを有する。２つの傾斜面２２ａ，２２ｂは、突起部２２の各領域Ｐ１１，Ｐ１２に形成されている。図９では、Ｙ方向における突起部２２の長さが、突起部２２の先端に向かって短くなっている。
【００５４】
これにより、図９に示す突起部２２では、図６に示す突起部２２と比べて、電池ケース１３の側面１３Ａと接触する面積が小さくなる。ここで、エンドプレート３１および連結部材３２によって発生する拘束力が等しければ、図９に示す突起部２２から電池ケース１３（言い換えれば、発電要素１４の各領域Ａ２，Ａ３）に加わる荷重は、図６に示す突起部２２から電池ケース１３（言い換えれば、発電要素１４の各領域Ａ２，Ａ３）に加わる荷重よりも大きくなる。したがって、図９に示す仕切り部材２０では、図６に示す仕切り部材２０に比べて、発電要素１４の各領域Ａ２，Ａ３に対して荷重を与えやすくなる。
【００５５】
図１０に示す仕切り部材２０では、突起部２２の先端が曲面２２ｃで構成されている。曲面２２ｃは、Ｘ−Ｙ平面内において曲率を有しており、電池ケース１３の側面１３Ａに向かって突出している。ここで、曲面２２ｃの頂点が電池ケース１３の側面１３Ａに接触することになるため、図９に示す突起部２２よりも大きな荷重を電池ケース１３（言い換えれば、発電要素１４の各領域Ａ２，Ａ３）に与えることができる。これに伴い、発電要素１４の各領域Ａ２，Ａ３に荷重を与えやすくなる。
【００５６】
次に、本実施例の電池スタック１において、単電池１０の温度を調節するための空気を単電池１０に供給する構成について、図１１および図１２を用いて説明する。電池ケース１３に温度調節用の空気を接触させることにより、空気および単電池１０の間で熱交換を行わせて、単電池１０の温度を調節することができる。
【００５７】
図１１および図１２では、温度調節用の空気が移動する方向を矢印で示している。ここで、空気の移動通路に沿ってスペースを形成すれば、図１１や図１２に示すように空気を移動させることができる。空気の移動通路は、単電池１０（電池ケース１３）と、単電池１０の周囲に配置される部材とによって構成することができる。単電池１０の周囲に配置される部材としては、例えば、仕切り部材２０を用いることができる。
【００５８】
図１１では、温度調節用の空気が電池ケース１３の底面１３Ｂに接触した後、底面１３Ｂに沿って空気が移動する。このときの空気の移動方向はＹ方向である。ここで、Ｚ方向における発電要素１４の両端側に、電池ケース１３の上面および底面１３Ｂが配置される。上述したように、電池ケース１３の上面には、正極端子１１や負極端子１２が設けられる。
【００５９】
Ｙ方向における底面１３Ｂの両端に空気が到達すると、空気は、電池ケース１３の各側面１３Ｃに沿って移動する。このときの空気の移動方向はＺ方向である。電池ケース１３は、一対の側面１３Ｃを有しており、一対の側面１３Ｃは、Ｙ方向における発電要素１４の両端側に位置している。側面１３Ｃを通過した空気は、例えば、ダクト（図示せず）を用いて所定位置まで導くことができる。
【００６０】
図１２では、温度調節用の空気が電池ケース１３の底面１３Ｂに接触した後、底面１３Ｂに沿って空気が移動する。このときの空気の移動方向はＸ方向である。Ｘ方向における底面１３Ｂの両端に空気が到達すると、空気は、電池ケース１３の各側面１３Ａに沿って移動する。このときの空気の移動方向はＺ方向である。
【００６１】
仕切り部材２０の本体部２１にガイドを設けておけば、電池ケース１３の側面１３Ａに導かれた空気をガイドに沿って移動させやすくなる。ここで、ガイドは、側面１３Ａに接触していない。ガイドを側面１３Ａに接触させてしまうと、発電要素１４の領域Ａ１の膨張および収縮が仕切り部材２０に作用してしまうおそれがあるため、ガイドは、側面１３Ａから離しておく必要がある。
【００６２】
図１２に示す構成では、底面１３Ｂから側面１３Ａに導かれた空気がＺ方向に移動した後に、側面１３Ｃに向かって移動する。これにより、側面１３Ｃに沿って形成されたスペースに、温度調節後の空気を排出することができる。側面１３Ｃに向かって空気を移動させるときには、図５に示す突起部２２の各領域Ｐ１１，Ｐ１２において、空気が通過するスペースを形成しておけばよい。
【符号の説明】
【００６３】
１：電池スタック、１０：単電池、１１：正極端子、１２：負極端子、
１３：電池ケース、１４：発電要素、１４１：正極板、１４１ａ：正極集電板、
１４１ｂ：正極活物質層、１４２：負極板、１４２ａ：負極集電板、
１４２ｂ：負極活物質層、１４３：セパレータ、２０：仕切り部材、２１：本体部、
２２：突起部、３１：エンドプレート、３２：連結部材
【図１】
2015207537.tif 000003
【図２】
2015207537.tif 000004
【図３】
2015207537.tif 000005
【図４】
2015207537.tif 000006
【図５】
2015207537.tif 000007
【図６】
2015207537.tif 000008
【図７】
2015207537.tif 000009
【図８】
2015207537.tif 000010
【図９】
2015207537.tif 000011
【図１０】
2015207537.tif 000012
【図１１】
2015207537.tif 000013
【図１２】
2015207537.tif 000014